(57)【要約】【課題】簡素な構造であって、水抜き操作も極めて容易な湯水混合栓を提供する。【解決手段】湯水混合栓１０は、外部から供給される水と湯とを混合する温度調整手段である水栓本体１４と、水栓本体１４から供給される湯水が流入する混合室１３と、混合室１３内の湯水を複数の給水経路１５，１６のいずれかに分配するために設けられた複数の開閉弁ユニット７，８と、複数の開閉弁ユニット７，８の下流側にそれぞれ設けられた給水室１７，１８とを備えている。そして、混合室１３および複数の給水室１７，１８を互いに連通するための複数の連通口１９，２０と、給水室１７に開設された排水口２１と、連通口１９，２０および排水口２１を共通して開閉するための水抜き栓２２とを備えている。水抜き栓２２はネジ機構によって排水口２１に螺着されており、その上端にはシール材２２ａが付設されている。【選択図】  図５
2006016813.tif 000002
【特許請求の範囲】
【請求項１】
外部から供給される水と湯とを混合する温度調整手段と、前記温度調整手段から供給される湯水が流入する混合室と、前記混合室内の湯水を複数の給水経路のいずれかに分配するために設けられた複数の開閉弁と、前記複数の開閉弁の下流側にそれぞれ設けられた給水室とを備え、
前記混合室および前記複数の給水室を互いに連通する複数の連通口と、
前記混合室と前記複数の給水室のいずれかに開設された排水口と、
前記複数の連通口および前記排水口を共通して開閉するための水抜き栓と、
を設けたことを特徴とする湯水混合栓。
【請求項２】
前記混合室および前記複数の給水室のうちのいずれかの室を最下部に配置し、最下部に配置された前記室の上部にその他の前記室を隣接して配置したことを特徴とする請求項１記載の湯水混合栓。
【請求項３】
前記水抜き栓を、前記排水口を貫通移動して開閉する状態に設け、前記水抜き栓の移動領域内に前記複数の連通口を配置したことを特徴とする請求項１または２記載の湯水混合栓。
【請求項４】
前記複数の連通口のそれぞれの軸心と、前記排水口の軸心とが互いに平行をなすように前記複数の連通口および前記排水口を配設し、前記排水口を貫通移動して開閉するとともに前記複数の連通口を開閉可能な状態に前記水抜き栓を配設したことを特徴とする請求項１〜３のいずれかに記載の湯水混合栓。
【発明の詳細な説明】
【技術分野】
【０００１】
本発明は、浴室などに設置される湯水混合栓に関する。
【背景技術】
【０００２】
湯水混合栓は浴室や洗面化粧台などに設置して全国的に使用されているが、寒冷地に設置された湯水混合栓の場合、冬季の夜間などに湯水混合栓が凍結で破損するのを防止するために、湯水混合栓内に残留している水を抜き取る必要がある。このため、従来の湯水混合栓には、内部の残留水を排出するための水抜き手段が設けられている（例えば、特許文献１参照。）。
【０００３】
特許文献１に記載されている湯水混合栓は、水栓本体の内部に隔壁で区画された湯室と水室とを有し、これらの湯室および水室の内部の水を外部へ排出するための水抜き装置が水栓本体から突出した状態に設けられている。
【０００４】
【特許文献１】特開平８−２７０８３４号公報
【発明の開示】
【発明が解決しようとする課題】
【０００５】
特許文献１に記載された湯水混合栓は、外部から供給される水および湯を任意に設定された割合で混合する機能や、水や湯をカランあるいはシャワーなどの異なる箇所へ選択的に供給する機能を備えているため、その内部は隔壁などによって複数の領域に区画されており、これらの領域間は全て連通している訳ではない。従って、湯水混合栓内の残留水を１つの水抜き装置によって排出することは不可能である。
【０００６】
このため、特許文献１に記載の湯水混合栓においては、水栓本体の複数箇所に水抜き装置を設ける必要があり、手間がかかる。また、複数の水抜き装置に対してそれぞれ水抜き操作を行う必要があるため、水抜き操作が毎日必要となる冬場には、これらの水抜き操作に多くの時間と手間が費やされている。
【０００７】
本発明が解決しようとする課題は、簡素な構造であって、水抜き操作も極めて容易な湯水混合栓を提供することにある。
【課題を解決するための手段】
【０００８】
請求項１の発明は、外部から供給される水と湯とを混合する温度調整手段と、前記温度調整手段から供給される湯水が流入する混合室と、前記混合室内の湯水を複数の給水経路のいずれかに分配するために設けられた複数の開閉弁と、前記複数の開閉弁の下流側にそれぞれ設けられた給水室とを備え、
前記混合室および前記複数の給水室を互いに連通する複数の連通口と、
前記混合室と前記複数の給水室のいずれかに開設された排水口と、
前記複数の連通口および前記排水口を共通して開閉するための水抜き栓と、
を設けたことを特徴とする。
【０００９】
このような構成とすれば、一つの水抜き栓を開放することにより、複数の連通口および排水口を共通して開放することが可能となり、混合室内および複数の給水室内の残留湯水を同時に排出することができるため、簡素な構造であって、水抜き操作も極めて容易となる。なお、前述した「給水室」、「排水口」、「水抜き栓」という用語中では「水」という言葉を使っているが、供給したり、排出したり、抜いたりする対象を水に限定するものではなく、水から湯までを含む広い意味をもっている。
【００１０】
請求項２に記載の発明は、前記混合室および前記複数の給水室のうちのいずれかの室を最下部に配置し、最下部に配置された前記室の上部にその他の前記室を隣接して配置したことを特徴とする。このような構成とすれば、最下部に配置された室にその他の室の残留湯水を流入させ、最下部の室に開設された排水口から排出させることが可能となるため、残留湯水排出時の流れが円滑化されるだけでなく、構造の簡素化、水抜き操作の容易化を図ることができる。
【００１１】
請求項３の発明は、前記水抜き栓を前記排水口を貫通移動して開閉する状態に設け、前記水抜き栓の移動領域内に前記複数の連通口を配置したことを特徴とする。このような構成とすれば、水抜き栓を排水口を貫通移動させることによって当該排水口の開閉だけでなく複数の連通口の開閉も行うことが可能となるため、簡素な構造で、操作も容易な水抜き機構を形成することができる。
【００１２】
請求項４に記載の発明は、前記複数の連通口のそれぞれの軸心と、前記排水口の軸心とが互いに平行をなすように前記複数の連通口および前記排水口を配設し、前記排水口を貫通移動して開閉するとともに前記複数の連通口を開閉可能な状態に前記水抜き栓を配設したことを特徴とする。
【００１３】
このような構成とすれば、排水口を貫通する水抜き栓を当該排水口の軸心方向に移動させることによって排水口および複数の連通口を開閉することが可能となるため、簡素な構造で、操作も容易な水抜き機構を形成することができる。また、前記複数の連通口のそれぞれの軸心と、前記排水口の軸心とが互いに平行をなしているため、複数の連通口を通過して排出される残留湯水をスムーズに排水口へ誘導することができる。
【発明の効果】
【００１４】
本発明により、簡素な構造であって、水抜き操作も極めて容易な湯水混合栓を提供することができる。
【発明を実施するための最良の形態】
【００１５】
以下、図面に基づいて本発明の実施の形態である湯水混合栓について説明する。図１は本発明の実施の形態である湯水混合栓を内蔵する水栓装置を浴室に設置した状態を示す斜視図、図２は図１に示す水栓装置の斜視図、図３は図２に示す水栓装置に内蔵された湯水混合栓を示す分解斜視図、図４は図２に示す水栓装置に内蔵された湯水混合栓を示す正面図、図５は図４におけるＡ−Ａ線断面図、図６は図５の部分拡大図である。
【００１６】
本実施形態においては、一例として、図１に示すように、湯水混合栓１０（図３参照）が内蔵された水栓装置１を浴室の壁面Ｗに設置している。水栓装置１の正面部分には２つの操作キー２，３が上下二段に配置され、これらの操作キー２，３の上方側面には温度調整用ダイヤル４が配置されている。操作キー２を押圧操作するとカラン５からの吐水、止水が交互に繰り返され、操作キー３を押圧操作するとシャワー６からの吐水、止水が交互に繰り返される。そして、温度調整用ダイヤル４を回転操作することにより、カラン５およびシャワー６から吐出する湯水の温度を設定することができる。
【００１７】
図２，図３に示すように、水栓装置１は、湯水混合栓１０とこれを覆うカバー９とで構成されている。湯水混合栓１０は、給湯管１１から供給される湯と、給水管１２から供給される水とを、温度調整用ダイヤル４で設定した温度になるように混合する機能を有する水栓本体１４と、カラン５への流路を開閉する開閉弁ユニット７と、シャワー６への流路を開閉する開閉弁ユニット８とを備えている。
【００１８】
開閉弁ユニット７，８はパイロット式開閉弁装置と呼ばれるものであり、それぞれの上部には、開閉弁ユニット７，８に内蔵された開閉弁（図示せず）を作動させるための操作部７ａ，８ａが設けられている。なお、本実施形態においては開閉弁ユニット７，８としてパイロット式開閉弁装置を用いているが、これに限定するものではないので、同様の機能を備えた他の方式の開閉弁ユニットを使用することも可能である。また、開閉弁ユニット７，８の構造、機能などについては後述する図７〜図１０に基づいて詳しく説明する。
【００１９】
図３に示すように、カバー９は、湯水混合栓１０の正面部分を覆う正面カバー９ａと、その左右部分を覆う側面カバー９ｂ，９ｃとで構成されている。また、開閉弁ユニット７，８の操作部７ａ，８ａを押圧して開閉操作を行うために、正面カバー９ａに開設された２つの開口部９ｓ，９ｔにそれぞれ操作キー２，３が起伏可能に軸支されており、正面カバー９ａの表面上部がいわゆる操作パネルとなっている。
【００２０】
図４，図５に示すように、湯水混合栓１０の下方に垂直方向に配管された給湯管１１および給水管１２はそれぞれ止水栓２３および逆止弁２４を経由して水栓本体１４に接続されている。水栓本体１４の下方に位置する開閉弁ユニット８の下流側の給水室１８にシャワー６への給水経路１６が接続され、その下方に位置する開閉弁ユニット７の下流側の給水室１７にカラン５への給水経路１５が接続されている。
【００２１】
逆止弁２４はそれぞれ水が湯流路（給湯管１１）に逆流したり、湯が水流路（給水管１２）に逆流したりするのを防止するための部材であり、その内部には、湯または水に混入している異物を捕捉除去するためのフィルタ（図示せず）が収容されている。止水栓２３は、逆止弁２４内のフィルタを清掃したり、メンテナンスを行ったりする際に、湯流路（給湯管１１）や水流路（給水管１２）を閉止するための部材である。
【００２２】
図５に示すように、湯水混合栓１０は、外部から供給される水と湯とを混合する温度調整手段である水栓本体１４と、水栓本体１４から供給される湯水が流入する混合室１３と、混合室１３内の湯水を複数の給水経路１５，１６のいずれかに分配するために設けられた複数の開閉弁ユニット７，８と、複数の開閉弁ユニット７，８の下流側にそれぞれ設けられた複数の給水室１７，１８とを備えている。
【００２３】
そして、混合室１３および複数の給水室１７，１８を互いに連通するための複数の連通口１９，２０と、給水室１７に開設された排水口２１と、複数の連通口１９，２０および排水口２１を共通して開閉するための水抜き栓２２とを備えている。水抜き栓２２はネジ機構によって排水口２１に螺着されており、その上端にはシール材２２ａが付設されている。
【００２４】
水抜き栓２２をその軸心回りに正転、逆転させれば、その軸心方向に沿って上昇、下降し、水抜き栓２２の縮径部２２ｂが排水口２１に位置すると排水口２１が開放され、太径部２２ｃが排水口２１に位置すると排水口２１が閉止される。これと同時に、シール材２２ａが連通口１９，２０から離れると連通口１９，２０が開放され、当接すると連通口１９，２０が閉止される。
【００２５】
ここで、図１，図５を参照して、湯水混合栓１０の基本的機能について説明する。前述したように、操作キー２を押圧すると開閉弁ユニット７の操作部７ａが押圧されカラン５への流路が開閉され、操作キー３を押圧すると開閉弁ユニット８の操作部８ａが押圧されシャワー６への流路が開閉されるようになっている。
【００２６】
カラン５およびシャワー６が止水状態にあるときに操作キー２を押圧すると、操作部７ａが押下されて開閉弁ユニット７内の主弁４６（図７〜図９参照）が開き、水栓本体１４から混合室１３に流入した湯水が開閉弁ユニット７の下部に設けられた４つの開口部７ｂから開閉弁ユニット７内へ流れ込んだ後、給水室１７へ放出され、給水経路１５を経由してカラン５から吐水される。この後、操作キー２を再び押圧すると開閉弁ユニット７内の主弁４６が閉じて、カラン５からの吐水が停止する。
【００２７】
一方、カラン５およびシャワー６が止水状態にあるときに操作キー３を押圧すると、操作部８ａが押下されて開閉弁ユニット８内の主弁４６（図７〜図９参照）が開き、水栓本体１４から混合室１３に流入した湯水が開閉弁ユニット８の下部に設けられた４つの開口部８ｂから開閉弁ユニット８内へ流れ込んだ後、給水室１８へ放出され、給水経路１６を経由してシャワー６から吐水される。この後、操作キー３を再び押圧すると開閉弁ユニット８内の主弁４６が閉じて、シャワー６からの吐水が停止する。
【００２８】
ところで、カラン５およびシャワー６が止水状態にあるとき、混合室１３および給水室１７，１８などの内部は湯水で満たされた状態にあるため、冬季の夜間などに湯水混合栓１０が凍結で破損するのを防止するには、湯水混合栓１０内に残留している湯水を抜き取る必要がある。そこで、本実施形態の湯水混合栓１０においては、前述したように、連通口１９，２０と、排水口２１と、水抜き栓２２からなる水抜き機構を設けている。
【００２９】
図５に示す状態にある水抜き栓２２を逆転（緩む方向に回転）させてその軸心下方へ移動させると、図６に示すように、水抜き栓２２の縮径部２２ｂが排水口２１に位置して排水口２１が開放されると同時に、シール材２２ａが連通口１９，２０から離れて連通口１９，２０が開放される。このように、一つの水抜き栓２２を開放することにより、２つの連通口１９，２０および排水口２１を共通して開放することが可能であり、これによって混合室１３内および給水室１７，１８内の残留水を同時に排出することができるため、簡素な構造であって、水抜き操作も極めて容易である。
【００３０】
水抜きが完了したら、水抜き栓２２を正転させてその軸心上方へ移動させると、図５に示すように、水抜き栓２２の太径部２２ｃが排水口２１に位置して排水口２１が閉止されると同時に、シール材２２ａが連通口１９，２０に当接して連通口１９，２０が閉止される。なお、逆止弁２３（図４参照）より上流側にある水は、家屋に配置された水抜き栓（図示せず）を開くことによって排出することができる。
【００３１】
本実施形態の湯水混合栓１０においては、連通口１９，２０の軸心と、排水口２１の軸心とが互いに平行をなすように連通口１９，２０および排水口２１を配設するとともに、排水口２１を貫通移動して開閉することによって連通口１９，２０を開閉可能な状態に水抜き栓２２を配設している。
【００３２】
従って、排水口２１を貫通する水抜き栓２２を当該排水口２１の軸心方向に移動させることによって排水口２１および連通口１９，２０を開閉することが可能であり、簡素な構造で、操作も容易である。また、連通口１９，２０の軸心と、排水口２１の軸心とが互いに平行をなしているため、水抜き中、連通口１９，２０を通過して給水室１７内へ流入する残留湯水をスムーズに排水口２１へ誘導して外部へ排出することができる。
【００３３】
また、湯水混合栓１０においては、複数の室のうちの１つである給水室１７を最下部に配置し、最下部に配置された給水室１７の上部にその他の室である給水室１８および混合室１３を隣接して配置している。従って、給水室１８および混合室１３の残留湯水を、最下部に配置された給水室１７に向かって流入させた後、給水室１７に開設された排水口２１から排出させることができる。このため、残留湯水排出時の流れが円滑化されるだけでなく、構造の簡素化、水抜き操作の容易化を図ることができる。
【００３４】
次に、図７〜図１０を参照して、前述した開閉弁ユニット７，８の構造、機能などについて詳しく説明する。なお、開閉弁ユニット７，８は同一構造であるため、ここでは、開閉弁ユニット７について説明する。図７は図３などで示した湯水混合栓を構成する開閉弁ユニットの基本構造を示す概略図、図８は止水状態（閉状態）にある開閉弁ユニットを示す断面図、図９は吐水状態（開状態）にある開閉弁ユニットを示す断面図、図１０は開閉弁ユニットを構成するパイロット弁切替保持機構（ハートカム機構）を示す図である。
【００３５】
図７に示すように、開閉弁ユニット７は、使用者がカラン５用の操作キー２を押すことにより下方に押下される操作部７ａと、操作部７ａにその基端が結合された押し棒３８と、この押し棒３８の先端に設けられたパイロット弁４０とを備え、押し棒３８の先端（下端）とパイロット弁４０との間には緩衝手段であるコイルばね４２が設けられている。
【００３６】
開閉弁ユニット７は、パイロット弁４０の下方に、パイロット弁口（圧力開放穴）４４を備え、パイロット弁４０がこのパイロット弁口４４に当接および解離するダイヤフラム式の主弁４６と、この主弁４６の背面に形成され、押し棒３８、パイロット弁４０およびコイルばね４２を収納する圧力室４８を形成するためのハウジング５０と、主弁４６の表面が着座および離座する弁座５２とを備えている。ハウジング５０の押し棒３８が挿通される部分には、シール部材５４が設けられている。さらに、主弁４６の外周側には、小穴（一次圧流入口）５６が形成されている。
【００３７】
次に、開閉弁ユニット７の基本動作について説明する。開閉弁ユニット７においては、圧力室４８内に設けられたパイロット弁４０を、主弁４６のパイロット弁口４４に当接および解離させることで、パイロット弁４０を開閉し、止水状態と吐水状態とを切り替えるようになっている。
【００３８】
吐水状態から止水状態に切り替えるときは、押し棒３８によりパイロット弁４０をパイロット弁口４４に当接する方向に押さなければならない。このとき、押し棒３８は、その断面積に相当する面積に作用する水圧により上向きの力を受け、さらに、シール部材５４による摺動摩擦抵抗があり、これらに抗して操作部７ａを押す必要があるが、この操作力は比較的小さな値である。
【００３９】
次に、パイロット弁４０が主弁４６のパイロット弁口４４に当接すると、一次側通水路の一次圧の水が小穴５６を通って圧力室４８内に流入し、これに伴い、主弁４６が遅い速度で、弁座５２に向かって移動する。これにより、主弁４６が弁座５２に着座し、止水状態に切り替わる（図８参照）。
【００４０】
さらに、開閉弁ユニット７では、緩衝手段であるコイルばね４２を、押し棒３８とパイロット弁４０との間、即ち、圧力室４８内に設けたので、このコイルばね４２には、パイロット弁４０がパイロット弁口４４に当接するまでは力は作用せず、さらに、詳細は後述するように、パイロット弁４０がパイロット弁口４４に当接した以降も小さな力を作用させればよい。
【００４１】
一方、止水状態から吐水状態に切り替えるときは、操作部７ａを押せば、後述するパイロット弁切替保持機構６２および付勢用ばね６８により、パイロット弁４０が主弁４６のパイロット弁口（圧力開放穴）４４から解離し、それにより、圧力室４８が開放され、主弁４６が弁座５２から解座し、吐水状態となる（図９参照）。
【００４２】
なお、開閉弁ユニット７では、前述したように、主弁４６の移動速度を意図的に小さくしているが、これは主弁４６の閉止時のウォーターハンマーの発生を抑えるためである。即ち、主弁４６に設けられた小穴５６から圧力室４８に一次側の水が流入することで圧力室４８内が一次圧の水で満たされ、主弁４６が弁座５２の方向へ移動するが、小穴５６を、通常、非常に小さな径としているので、圧力室４８への水の流入速度が抑えられ、これにより、主弁４６の移動速度（閉止速度）を抑え、主弁閉止時のウォーターハンマーの発生を抑えるようにしている。
【００４３】
前述したように、図８は止水状態（閉状態）にある開閉弁ユニットを示す断面図であり、図９は吐水状態（開状態）にある開閉弁ユニットを示す断面図である。図８に示すように、開閉弁ユニット７は、操作部７ａ、押し棒３８、パイロット弁４０、緩衝手段であるコイルばね４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６を備えている。
【００４４】
前述した小穴（一次圧流入口）５６には、クリーニング用のピン５８が挿入されており、小穴５６の一次圧流入口の通水面積を絞っている。これにより、前述したように、一次圧の圧力室４８への流入速度を抑制することで主弁４６の閉止速度を緩やかにし、閉止時に発生するウォーターハンマーを低減できるようにしている。
【００４５】
圧力室４８を形成するハウジング５０は、主にパイロット弁４０が配置された空間を取り囲む第１ハウジング５０ａと、主弁４６の背面側の空間を取り囲む第２ハウジング５０ｂとから構成されている。また、最外周側には、操作部７ａ、第１ハウジング５０ａ、第２ハウジング５０ｂ、弁座５２の４つの部品を組み付けることにより、開閉弁ユニット７を組み立てるための組付ナット６０が配置されている。
【００４６】
さらに、開閉弁ユニット７は、パイロット弁切替保持機構６２を備えている。このパイロット弁切替保持機構６２は、前述した、操作キー２に連動しており、操作キー２を押すたびに、即ち、操作キー２で操作部７ａが押されるたびに、パイロット弁４０の吐水状態位置と止水状態位置の切り替えを繰り返すとともに、パイロット弁４０を吐水状態位置または止水状態位置に保持する機能を有する。
【００４７】
このパイロット弁切替保持機構６２は、一般にノック式ボールペンのノック機構などで使用されている機構でもよいが、本実施形態では、図８，図９に示すように、操作部７ａと連動して移動するピン６４と、第１ハウジング５０ａの外周面に形成されピン６４の下方側が弾性変形しながら、これに沿って移動する逆ハート形状のカム溝６６と、止水状態（閉状態）でピン６４を保持する保持用突起６８とによって形成されたハートカム機構を採用している。
【００４８】
ここで、図１０により、パイロット弁切替保持機構（ハートカム機構）６２について詳しく説明する。図１０は、開閉弁ユニット７に採用されているパイロット弁切替保持機構（ハートカム機構）を示す拡大図である。
【００４９】
図１０に示すように、使用者が操作キー２を押圧操作するたびに、ピン６４の下端部６４ａは、ａ位置（止水状態）、ｂ位置（押込み状態）、ｃ位置（吐水位置）、ｄ位置（押込み状態）の順序に従って移動する。ａ位置（止水状態）においては、ピン６４の下端部６４ａが保持用突起６８により保持されており、これによって止水状態が保たれている。次に、止水状態から吐水状態に吐水操作すると、ピン６４の下端部６４ａは、カム溝６６の形状に沿って移動し、ｂ位置（押込み状態）まで下がり、その後、ｃ位置（吐水状態）まで移動し、この位置で吐水状態が保たれる。次に、吐水状態から止水状態に止水操作すると、ピン６４の下端部６４ａはｃ位置（吐水状態）からカム溝６６の形状に沿って移動し、ｄ位置（押込み状態）まで下がり、その後、ａ位置（吐水状態）まで移動し、この位置で、止水状態が保たれる。
【００５０】
このように、パイロット弁切替保持機構６２がハートカム機構であるため、圧力室４８をシールするシール部材５４に、押し棒３８の往復運動（上下運動）のみが作用し、前述したノック機構のように、押し棒３８の回転運度が作用しないため、シール部材５４への負担が少なくなり、高い信頼性を得ることができる。
【００５１】
また、図８，図９に示すように、付勢用ばね６９により止水状態から吐水状態に切替操作する際、即ち、操作キー２が押圧された際、パイロット弁切替保持機構６２による止水状態位置における保持が解除され、操作部７ａが上方へ付勢され、パイロット弁４０がパイロット弁口（圧力開放穴）４４から解離し、容易に吐水状態に切り替えることができるようになっている。
【００５２】
次に、押し棒３８とパイロット弁４０の結合部について説明する。図８，図９に示すように、押し棒３８の先端（下端）であって圧力室４８の内部には、前述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２が内蔵されている。
【００５３】
パイロット弁４０の上側には、押し棒３８が摺動可能に挿入される挿入穴４０ｃが形成されている。パイロット弁４０は、弾性変形可能な樹脂材料で形成されており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に付勢している。
【００５４】
これにより、止水状態から吐水状態に切り替える吐水操作時には、コイルばね４２の付勢力により押し棒３８の先端の大径部３８ａとパイロット弁４０の上側とが係合し、それによって、パイロット弁４０は押し棒３８の動きと連動し、主弁４６に形成されたパイロット弁口４４から離座する（図９参照）。
【００５５】
一方、吐水状態から止水状態に切り替える止水操作時には、パイロット弁４０が主弁４６に形成されたパイロット弁口４４に当接し、押し棒３８の大径部３８ａはパイロット弁４０の上側から離れて下降するが、押し棒３８のストローク方向の移動距離（変位量）はコイルばね４２によって吸収される（図８参照）。
【００５６】
このように、止水操作時においてパイロット弁４０がパイロット弁口４４に当接するまでの過程と、パイロット弁４０がパイロット弁口４４に当接した以降の過程との両方において、操作力に格差（ムラ）がなくなり、好ましい操作感が得られる。
【図面の簡単な説明】
【００５７】
【図１】本発明の実施の形態である湯水混合栓を内蔵した水栓装置を浴室に設置した状態を示す斜視図である。
【図２】図１に示す水栓装置の斜視図である。
【図３】図２に示す水栓装置に内蔵された湯水混合栓を示す分解斜視図である。
【図４】図２に示す水栓装置に内蔵された湯水混合栓を示す正面図である。
【図５】図４におけるＡ−Ａ線断面図である。
【図６】図５の部分拡大図である。
【図７】図１に示す水栓装置を構成する開閉弁ユニットの基本構造を示す概略図である。
【図８】止水状態（閉状態）にある開閉弁ユニットを示す断面図である。
【図９】吐水状態（開状態）にある開閉弁ユニットを示す断面図である。
【図１０】開閉弁ユニットを構成するパイロット弁切替保持機構（ハートカム機構）を示す図である。
【符号の説明】
【００５８】
１  水栓装置
２，３  操作キー
４  温度調整用ダイヤル
５  カラン
６  シャワー
７，８  開閉弁ユニット
７ａ，８ａ  操作部
７ｂ，８ｂ  開口部
９  カバー
９ａ  正面カバー
９ｂ，９ｃ  側面カバー
９ｓ，９ｔ  開口部
１０  湯水混合栓
１１  給湯管
１２  給水管
１３  混合室
１４  水栓本体
１５，１６  給水経路
１７，１８  給水室
１９，２０  連通口
２１  排水口
２２  水抜き栓
２２ａ  シール材
２２ｂ  縮径部
２２ｃ  太径部
２３  止水栓
２４  逆止弁
３８  押し棒
３８ａ  大径部
４０  パイロット弁
４０ａ  パッキン
４０ｂ  中空部
４０ｃ  挿入穴
４２  コイルばね
４４  パイロット弁口（圧力開放穴）
４６  主弁
４８  圧力室
５０  ハウジング
５０ａ  第１ハウジング
５０ｂ  第２ハウジング
５２  弁座
５４  シール部材
５６  小穴（一次圧流入口）
５８，６４  ピン
６０  組付ナット
６２  パイロット弁切替保持機構
６４ａ  下端部
６６  カム溝
６８  保持用突起
６９  付勢用ばね
【図１】
2006016813.tif 000003
【図２】
2006016813.tif 000004
【図３】
2006016813.tif 000005
【図４】
2006016813.tif 000006
【図５】
2006016813.tif 000007
【図６】
2006016813.tif 000008
【図７】
2006016813.tif 000009
【図８】
2006016813.tif 000010
【図９】
2006016813.tif 000011
【図１０】
2006016813.tif 000012